(57)【特許請求の範囲】
【請求項１】
ボンネットの下方において車体前後方向に延びた左右１対のフロントサイドフレームと、これら１対のフロントサイドフレームの前端部に取付けられ車幅方向に延びたバンパレインフォースメントと、車体前端部分の外表面を形成するバンパフェイスと、前記バンパレインフォースメントの下側位置で且つ前端がバンパレインフォースメントよりも前方に配置された車幅方向に延びる車幅方向部材と、この車幅方向部材を前記１対のフロントサイドフレームに支持する支持部材を備えた車両の前部車体構造において、
前記支持部材よりも後方において前記１対のフロントサイドフレームの間に配置された熱交換器と、
前記バンパフェイスの車幅方向中央領域に形成され走行風を車両内部に導入可能な導入開口とを備え、
前記支持部材は、前記車幅方向部材に入力した車体前後方向の衝撃荷重を吸収可能な衝撃吸収部と、前記導入開口から導入された走行風を前記熱交換器へ案内する走行風案内部とを備えたことを特徴とする車両の前部車体構造。
【請求項２】
前記支持部材は、支持部材を前記フロントサイドフレームに取付ける為の取付部と、前記衝撃吸収部を備えた支持本体部と、この支持本体部へ前記衝撃荷重を伝達可能で且つ前記車幅方向部材を装着する為の衝撃伝達部を備え、
前記衝撃伝達部は、前記支持本体部の下端部から車体前後方向前方に延設されたことを特徴とする請求項１に記載の車両の前部車体構造。
【請求項３】
前記１対のフロントサイドフレームは、その前端部分に前記バンパレインフォースメントに入力した車体前後方向の衝撃荷重を変形によって吸収可能なクラッシュカンを備え、
前記取付部は、前記クラッシュカンに取付けられると共に前記クラッシュカンの変形を許容する脆弱部を備えたことを特徴とする請求項２に記載の車両の前部車体構造。
【請求項４】
前記支持部材は、前記導入開口から導入され前記フロントサイドフレームの下方を流れる走行風を前記走行風案内部によって前記熱交換器へ案内するように前記フロントサイドフレームに取付けられたことを特徴とする請求項１記載の車両の前部車体構造。
【請求項５】
前記車幅方向部材に支持された第２熱交換器と、
前記支持部材に形成され且つ走行風を前記フロントサイドフレームより車幅方向外側へ排出可能な排出口を備え、
前記第２熱交換器を通過した走行風を前記排出口へ案内する案内流路を形成したことを特徴とする請求項１または４に記載の車両の前部車体構造。
【発明の詳細な説明】
【技術分野】
【０００１】
本発明は、車両の前部車体構造に関し、特にバンパレインフォースメントの下方且つ前方位置にフロントサイドフレームに支持された車幅方向部材を備えた車両の前部車体構造に関する。
【背景技術】
【０００２】
従来、車両と歩行者との衝突時に歩行者の車体下方への巻き込み等の二次障害を防止することを目的として、衝突時に歩行者の下脚部を払って歩行者をボンネットの上に跳ね上げることが行われている。この具体的な構成として、バンパレインフォースメントの下方位置にシュラウドロアメンバに支持された車幅方向に延びた車幅方向部材、所謂脚払い部材を備えた前部車体構造が公知である。
【０００３】
脚払い部材は、歩行者との衝突時に車体後方へ向かって潰れながら衝突エネルギーを吸収するため、脚払い部材が潰れるための前後長の確保が必要とされている。
しかし、車両の低ボンネット化に伴ってラジエータを前方に傾斜した前傾姿勢にした場合、シュラウドロアメンバが車体後方に配置され、脚払い部材が長尺化し車体重量が増す虞がある。
【０００４】
特許文献１に記載された車体構造においては、左右１対のフロントサイドフレームに固定された１対の支持部材と、これらの支持部材に支持された車幅方向に延びる車幅方向部材としての脚払い部材をバンパレインフォースメントの下方且つ前方位置に設け、この脚払い部材を歩行者との衝突エネルギーに応じて変形可能に構成されている。この車体構造では、脚払い部材をフロントサイドフレームに強固に支持することができ、脚払い部材の変形によって衝突による衝撃荷重を吸収して歩行者の脚部の安全を確保することができる。
【０００５】
一方、車両の前面衝突時の乗員に対する衝撃荷重を低減する為に、フロントサイドフレームに入力される衝突エネルギーによりフロントサイドフレームを所定の変形モードで変形させることで衝突エネルギーを吸収する変形モード制御も実用化されている。 例えば、衝突初期にフロントサイドフレームの先端に配置されたクラッシュカンを潰れ変形させ、衝突中期以降では、フロントサイドフレームを、ダッシュパネルとの結合部を中心として平面視で見て車幅方向外側へ向かうように屈曲変形させることで、衝突初期に車体減速度を大きくし、その後の車体減速度を維持するように制御している。
【先行技術文献】
【特許文献】
【０００６】
【特許文献１】特開２００１−８８６３４号公報
【発明の概要】
【発明が解決しようとする課題】
【０００７】
前記車体構造では、脚払い部材を剛性の高いブラケットやタイダウンフック等の支持部材によってフロントサイドフレームに強固に固定している。しかし、これらの支持部材は、フロントサイドフレームの板厚を増して強度を高くするため、フロントサイドフレームの潰れ変形を阻害し、変形モード制御による所望の衝突エネルギー吸収の効果を得られないという虞がある。しかも、剛性の高い支持部材は、車体重量の増加を招く虞がある。
【０００８】
また、前記脚払い部材は、衝突エネルギーに応じて変形可能に構成されているため、衝撃荷重を受けて潰れ変形するための前後長の確保が必要となり、脚払い部材を後退変形可能にするためのエネルギー吸収機構を備えた脚払い部材自体が大型化するという虞もある。脚払い部材が大型化した場合、脚払い部材の前後長を考慮してフロントサイドフレームに固定する必要が生じることから支持部材のフロントサイドフレームに対する取付け位置等のレイアウト性に対する制限を生じ、しかも、車体重量の増加を招く虞がある。
【０００９】
本発明の目的は、バンパレインフォースメントの下方且つ前方位置にフロントサイドフレームに支持された車幅方向部材を備えた車両において、フロントサイドフレームの潰れ変形と車幅方向部材の支持剛性の確保を両立できる前部車体構造、車幅方向部材を軽量化できる前部車体構造等を提供することである。
【課題を解決するための手段】
【００１０】
請求項１の車両の前部車体構造は、ボンネットの下方において車体前後方向に延びた左右１対のフロントサイドフレームと、これら１対のフロントサイドフレームの前端部に取付けられ車幅方向に延びたバンパレインフォースメントと、車体前端部分の外表面を形成するバンパフェイスと、前記バンパレインフォースメントの下側位置で且つ前端がバンパレインフォースメントよりも前方に配置された車幅方向に延びる車幅方向部材と、この車幅方向部材を前記１対のフロントサイドフレームに支持する支持部材を備えた車両の前部車体構造において、前記支持部材よりも後方において前記１対のフロントサイドフレームの間に配置された熱交換器と、前記バンパフェイスの車幅方向中央領域に形成され走行風を車両内部に導入可能な導入開口とを備え、前記支持部材は、前記車幅方向部材に入力した車体前後方向の衝撃荷重を吸収可能な衝撃吸収部と、前記導入開口から導入された走行風を前記熱交換器へ案内する走行風案内部とを備えたことを特徴としている。
【００１１】
この前部車体構造においては、車両と歩行者との衝突時に、歩行者の下脚部に衝突する車幅方向部材を支持する支持部材を用いることによって、車幅方向部材に入力された車体前後方向の衝撃荷重を吸収することができる。
【００１２】
【００１３】
請求項２の発明は、請求項１の発明において、前記支持部材は、支持部材を前記フロントサイドフレームに取付けるための取付部と、前記衝撃吸収部を備えた支持本体部と、この支持本体部へ前記衝撃荷重を伝達可能で且つ前記車幅方向部材を装着するための衝撃伝達部を備え、前記衝撃伝達部は、前記支持本体部の下端部から車体前後方向前方に延設されたことを特徴としている。
【００１４】
請求項３の発明は、請求項２の発明において、前記1 対のフロントサイドフレームは、その前端部分に前記バンパレインフォースメントに入力した車体前後方向の衝撃荷重を変形によって吸収可能なクラッシュカンを備え、前記取付部は、前記クラッシュカンに取付けられると共に前記クラッシュカンの変形を許容する脆弱部を備えたことを特徴としている。
【００１５】
【００１６】
請求項４の発明は、請求項１の発明において、前記支持部材は、前記導入開口から導入され前記フロントサイドフレームの下方を流れる走行風を前記走行風案内部によって前記熱交換器へ案内するように前記フロントサイドフレームに取付けられたことを特徴としている。
【００１７】
請求項５の発明は、請求項１または４の発明において、前記車幅方向部材に支持された第２熱交換器と、前記支持部材に形成され且つ走行風を前記フロントサイドフレームより車幅方向外側へ排出可能な排出口を備え、前記第２熱交換器を通過した走行風を前記排出口へ案内する案内流路を形成したことを特徴としている。
【発明の効果】
【００１８】
請求項１の発明によれば、支持部材によって車幅方向部材に入力した車体前後方向の衝撃荷重を吸収するため、車両と歩行者との衝突時に歩行者の車体下方への巻き込みを防止しつつ車幅方向部材の前後長を短くすることができ、車体重量を軽量化することができる。また、支持部材をフロントサイドフレームを介して車体に取付けたため、支持部材の支持剛性を確保でき、走行中の振動や歩行者との衝突時に入力される荷重による車幅方向部材への影響を低減できるので、歩行者の車体下方への巻き込みを確実に防止することができる。しかも、走行風案内部を支持部材に設けたため、部品点数を増すことなく、熱交換器の冷却性能を高めることができる。
【００１９】
請求項２の発明によれば、衝撃吸収部を支持本体部に設けたため、車幅方向部材を車体前後方向に短くすることができ、車体重量を軽量化することができる。
【００２０】
請求項３の発明によれば、脆弱部を備えた支持部材の取付部をクラッシュカンに取付けたため、脆弱部によってクラッシュカンの潰れ変形を阻害することなく車幅方向部材を車体前側で支持することができ、車幅方向部材を車体前後方向に更に短くすることができる。
【００２１】
請求項４の発明によれば、正面視で見て熱交換器よりも外側で且つフロントサイドフレームの下方を流れる走行風を熱交換器へ案内できるため、更に熱交換器の冷却性能を高めることができる。
請求項５の発明によれば、第２熱交換器と熱交換を行った走行風をフロントサイドフレームの外側に排出するため、両方の熱交換器の熱交換効率を増すことができる。
【図面の簡単な説明】
【００２２】
【図１】本発明の参考技術１に係る前部車体の平面図である。
【図２】シュラウドパネルを省略した前部車体の右半分内部の要部斜視図である（図１のII−II線断面）。
【図３】バンパフェイスを外した車体の正面図である。
【図４】図１のIV−IV線断面図である。
【図５】支持部材の斜視図である。
【図６】衝突後の図２相当図である。
【図７】衝突後の図４相当図である。
【図８】衝突後の図５相当図である。
【図９】参考技術２に係る図４相当図である。
【図１０】実施例１に係る図２相当図である。
【図１１】実施例１に係る図３相当図である。
【図１２】実施例１に係る図４相当図である。
【図１３】実施例２に係るシュラウドパネルを省略した前部車体の右半分内部を斜め下方から見た要部斜視図である。
【図１４】実施例２に係る図３相当図である。
【図１５】実施例２に係る図４相当図である。
【図１６】実施例３に係るシュラウドパネルを省略した前部車体の右半分内部を斜め前方から見た要部斜視図である。
【図１７】実施例３に係る図４相当図である。
【図１８】実施例３に係る前部車体の右側の平面図である。
【図１９】実施例４に係るシュラウドパネルを省略した前部車体の右半分内部の要部斜視図である。
【図２０】走行風の流れを説明する説明図である。
【図２１】実施例５に係るシュラウドパネルを省略した前部車体の右半分内部の要部斜視図である。
【図２２】実施例５に係る図５相当図である。
【図２３】実施例６に係る支持部材と一体形成されたクラッシュカンの斜視図である。
【発明を実施するための形態】
【００２３】
以下、本発明を実施するための形態について実施例に基づいて説明する。
尚、以下の実施例において、車両の前後方向を前後方向とし、車両の左右方向を左右方向として説明する。
【００２４】
以下、本発明の参考技術１について図１〜図８に基づいて説明する。
車両Ｖの前部車体１は、エンジンルームＥの上部を覆うボンネット２と、車体前後方向に延びた左右１対のフロントサイドフレーム３と、車幅方向に延びたバンパレインフォースメント４と、前部車体１の外表面を形成するバンパフェイス５と、車幅方向に延びた脚払い部材６（車幅方向部材）と、脚払い部材６を左右１対のフロントサイドフレーム３に支持する支持部材７と、エンジン（図示略）の冷却水と走行風との熱交換を行うラジエータ８（熱交換器）等から構成されている。
【００２５】
ボンネット２の前端部分には、外縁形状に沿って車幅方向に延びるボンネットレインフォースメント２ａが配置されている。ボンネットレインフォースメント２ａは、ボンネット２と閉断面部を形成している。
【００２６】
左右１対のフロントサイドフレーム３は、車室の前端部を仕切るダッシュパネル（図示略）の前側においてエンジンルームＥの左右両側に前後方向に延びるように形成されている。左右１対のフロントサイドフレーム３は、車両Ｖの前側位置から後方へ向かって略水平状に延び且つ後端側途中部がダッシュパネルの縦壁部に接合されている。左右１対のフロントサイドフレーム３は、同様の構成であるため、右側のフロントサイドフレーム３を主に説明する。
【００２７】
図２，図４に示すように、フロントサイドフレーム３は、車幅方向外側のアウタパネルと、車幅方向内側のインナパネルとから構成され、これらのアウタパネルとインナパネルによって断面が略矩形形状の閉断面部を形成している。フロントサイドフレーム３には、上下方向に延びる複数のビード部３ａがアウタパネルとインナパネルの夫々に形成されている。各々のビード部３ａのビード深さとビード幅と上下長は、前面衝突時、フロントサイドフレーム３が所定の方向へ折れ変形するように設定されている。
【００２８】
フロントサイドフレーム３の前端部分には、シュラウドパネル（図示略）を介してクラッシュカン９を取付けるためのフランジ部３ｂが形成されている。角筒状のクラッシュカン９は、車体前後方向に直交し且つクラッシュカン９の内方に凹入した環状の前後２列の溝部９ａが形成されている。クラッシュカン９は、ボルトによって後端部分をフランジ部３ｂに締結固定されている。
【００２９】
クラッシュカン９の前端部分には、バンパレインフォースメント４が連結されている。バンパレインフォースメント４は、左右方向に延びる閉断面形状に構成されている。クラッシュカン９の前端部は、バンパレインフォースメント４の閉断面内部に嵌入されるように形成されている。従って、クラッシュカン９が嵌入する部分では、バンパレインフォースメント４の断面はコ字形状になっている。以上により、左右１対のクラッシュカン９は、車両衝突初期にバンパレインフォースメント４を介して前方から衝撃荷重が入力され、この衝撃荷重により溝部９ａ等が圧縮変形して潰れることで衝突エネルギーを吸収する。
【００３０】
バンパレインフォースメント４の前方には、発泡合成樹脂製の衝撃吸収体１０がバンパフェイス５の車幅方向全域に亙って配置されている。衝撃吸収体１０は、車両衝突時にバンパフェイス５を介して前方からの衝撃荷重により圧縮変形することによって衝突エネルギーを吸収し、所望のエネルギー吸収機能を達成し得るサイズ、形状に構成されている。衝撃吸収体１０は、発泡合成樹脂に限ることなく、複数のリブを組み合わせて構成された合成樹脂構造体等で構成することも可能である。
【００３１】
バンパフェイス５は、左右両側にヘッドライトを格納可能な１対のヘッドライト用開口５ａと、車幅方向中央領域にエンジンルームＥ内へ走行風を導入可能な導入開口５ｂと、導入開口５ｂの下方位置に形成された走行風を導入可能な導入開口５ｃ等を備えている。バンパフェイス５の左右側後端部には、バンパフェイス５に連続して車体側部の外表面を形成する左右１対のフロントフェンダ１１が装着されている。
【００３２】
図４に示すように、左右１対のフロントサイドフレーム３の間には、ラジエータ８の上部を支持するシュラウドアッパ１２と、シュラウドアッパ１２に比べて下側且つ後側位置にラジエータ８の下部を支持するシュラウドロア１３と、シュラウドアッパ１２の左右端部とシュラウドロア１３の左右端部を夫々連結する左右１対のシュラウドサイド（図示略）が配置されている。シュラウドアッパ１２とシュラウドロア１３と１対のシュラウドサイドは、前傾姿勢になるように配置されると共に、中央領域に開口を備えた矩形枠形状を形成している。シュラウドアッパ１２とシュラウドロア１３と１対のシュラウドサイドによって形成された開口は、バンパフェイス５の導入開口５ｂ,５ｃに対向するように配置されている。以上により、ラジエータ８は、前傾姿勢になるように配置され、ボンネット高さを低く抑えることができる。
【００３３】
シュラウドアッパ１２とシュラウドロア１３の間には、ラジエータ８とラジエータ８用のファン１４が配置されている。シュラウドアッパ１２には、ラジエータ８の上部を支持するためのブラケット（図示略）がボルト締めによって取付けられている。シュラウドロア１３には、ラジエータ８の下部を支持するためのブラケット（図示略）が取付けられている。以上により、ラジエータ８は、導入開口５ｂ等から導入された走行風によってエンジンの冷却水を冷却可能に構成されている。
【００３４】
合成樹脂製の脚払い部材６（車幅方向部材）は、バンパレインフォースメント４の下側且つ前側位置、つまり衝撃吸収体１０の下方で歩行者の下脚部高さに相当する導入開口５ｃの後方付近にその前端がバンパレインフォースメント４よりも前方に位置するように配置されている。脚払い部材６は、上面部６ａと、下面部６ｂと、前面部６ｃ、後面部６ｄ等から構成され、車幅方向に延びた閉断面部構造とされている。前面部６ｃの下部には、前方に突出して車幅方向に延びる突出部６ｅが形成されている。脚払い部材６は、左右の支持部材７に左右端部分がボルト１５によって取付けられている。尚、脚払い部材６は、閉断面部構造に限られるものではなく、所望の剛性に応じて中実構造にすることも可能である。尚、図１において、脚払い部材６は、衝撃吸収体１０と略同一の位置に設けられるため、図示を省略する。
【００３５】
図２，図４，図５に示すように、鋼板製の支持部材７は、支持部材７をクラッシュカン９に取付けるための取付部７ａと、支持本体部７ｂと、この支持本体部７ｂへ衝撃荷重を伝達可能で且つ脚払い部材６を装着するための衝撃伝達部７ｃ等によって一体的に構成されている。これら支持部材７は、左右のクラッシュカン９の下端面にボルト１６によって夫々固定されている。左右の支持部材７は、同様の構成のため、右側の支持部材７について説明する。
【００３６】
図５に示すように、取付部７ａは、前側部分と後側部分にボルト１６が貫通可能な１対のボルト穴３０と、車体前後方向に直交し且つ前後２列の溝部９ａに対向すると共に各溝部９ａと反対側に凹入して左右方向に亙って延びた前後２列のビード部３１（脆弱部）等から構成されている。支持部材７がクラッシュカン９の下端面に固定されたとき、取付部７ａは車体上下方向に対して直交する面と平行に配置され、各ビード部３１は車体前後方向に対して直交状に前後配置されている。
【００３７】
以上により、車両Ｖの衝突によってクラッシュカン９の溝部９ａ等が圧縮変形して潰れたとき、ボルト１６によってクラッシュカン９の下端面に固定された取付部７ａは、各溝部９ａの圧縮変形に応じて各ビード部３１が圧縮変形され、車体前後方向に潰れることができる。それ故、取付部７ａは、クラッシュカン９による衝突エネルギーの吸収を阻害することなく、脚払い部材６をフロントサイドフレーム３に支持することができる。
【００３８】
支持本体部７ｂは、取付部７ａの車幅方向外側端部を直交方向に下方へ屈曲して形成され、車幅方向内側に凹入して上下方向に亙って延びる前後２列のビード部３２（衝撃吸収部）等を備えている。前側のビード部３２は、前側のビード部３１の車幅方向外側端部から連続して下方に延びると共に支持本体部７ｂの下部において前方に向かって湾曲する湾曲部３２ａを備え、支持本体部７ｂの前端部まで形成されている。後側のビード部３２は、後側のビード部３１の車幅方向外側端部から連続して下方に延びると共に支持本体部７ｂの下部において前方に向かって湾曲する湾曲部３２ａを備え、支持本体部７ｂの前後方向中間位置まで形成されている。前側のビード部３２と後側のビード部３２の上側部分は上下方向に略平行状に延設され、夫々の下端部分は車体上下方向で見て略同じ高さ位置まで形成されている。
【００３９】
各々のビード部３２のビード深さとビード幅等は、歩行者との衝突時、歩行者をボンネット２の上に案内するために必要な衝突エネルギー以上の衝撃荷重を吸収できるように設定されている。以上により、歩行者へ衝突時に加わる衝撃荷重を極力低くでき、効果的に歩行者をボンネット２の上に案内することができる。
【００４０】
衝撃伝達部７ｃは、支持本体部７ｂの下端部分を車体前側に湾曲させて形成されている。
衝撃伝達部７ｃは、衝撃伝達部７ｃの前端部分を車幅方向内側に屈曲して形成された脚払い部材６を装着可能な装着部３３と、装着部３３を貫通可能に設けられた１対のボルト穴３４等を備えている。装着部３３の前側表面に固定される脚払い部材６は、１対のボルト穴３４を介してボルト１５によって支持部材７へ固着されている。
【００４１】
図２，図４に示すように、エンジンルームＥの前部の下方には、合成樹脂製のアンダカバー１７が配置されている。アンダカバー１７は、バンパフェイス５の下端部からラジエータ８の下部を支持するシュラウドロア１３の下方位置まで延びている。アンダカバー１７の前端部は、車幅方向中央位置において脚払い部材６に設けられた取付けブラケット（図示略）に連結されている。
【００４２】
次に、車両Ｖの衝突時のフロントサイドフレーム３による変形モード制御を説明する。
車両Ｖの前面衝突が発生した場合、バンパフェイス５と衝撃吸収体１０によって吸収されない衝撃荷重は、クラッシュカン９に伝達される。この荷重は、クラッシュカン９の溝部９ａを押し潰すことによって吸収される。このクラッシュカン９の潰れ変形によっても吸収されない衝撃荷重は、フロントサイドフレーム３の前端部から入力され、後方に向かって伝達される。
【００４３】
フロントサイドフレーム３の前端部分に入力された衝撃荷重は、複数のビード部３ａに作用して、各々のビード部３ａの折れ変形が開始される。このとき、ビード部３ａは凹入状に形成されるため、この部位におけるフロントサイドフレーム３の断面係数はその前後の部位の断面係数よりも小さく、ビード部３ａが車幅方向外側に対する折れ部になる。以上により、前面衝突における衝突エネルギーを吸収している。
【００４４】
ここで、支持部材７は、取付部７ａによってクラッシュカン９に固定されているが、各溝部９ａに対応して左右方向に亙って延びる前後２列のビード部３１を設けたため、各溝部９ａの圧縮変形に応じて各ビード部３１が圧縮変形して車体前後方向に潰され、衝突初期におけるクラッシュカン９の衝突エネルギーの吸収を阻害しない。
【００４５】
次に、脚払い部材６による歩行者の脚払い制御について説明する。
図６，図７に示すように、歩行者と衝突した場合、脚払い部材６は衝撃吸収体１０の下方で歩行者の下脚部高さに相当する導入開口５ｃの後方付近に配置されているため、バンパフェイス５を介して突出部６ｅが歩行者の下脚部に衝突する。突出部６ｅに入力した衝撃荷重は、上面部６ａと下面部６ｂの潰れ変形によって吸収される。
【００４６】
上面部６ａと下面部６ｂの潰れ変形によっても吸収されない衝撃荷重は、装着部３３から衝撃伝達部７ｃに伝達される。衝撃伝達部７ｃは、支持本体部７ｂの下端部を車体前側に湾曲形成した平板形状に構成されているため、車体前後方向の衝撃荷重を殆ど減衰させることなく支持本体部７ｂに伝達する。
【００４７】
支持本体部７ｂに入力された衝撃荷重は、上下方向に亙って延びる前後２列のビード部３２の変形によって吸収される。支持本体部７ｂに入力された衝撃荷重が小さな場合、図８に示すように、前側のビード部３２の前部部分が潰れ変形して衝撃荷重を吸収している。衝撃荷重が大きくなる程、前側のビード部３２の潰れ変形する領域Ａが後方且つ上方に拡大している。前側のビード部３２の潰れ変形によっても吸収されない衝撃荷重は、後側のビード部３２の潰れ変形によって吸収される。尚、衝撃伝達部７ｃの前端部分が上方へ向かって変位する場合、各ビード部３２は潰れ変形を行い、衝撃伝達部７ｃが下方へ向かって変位する場合、各ビード部３２は延び変形を行うことで、衝撃荷重を吸収している。
【００４８】
以上により、歩行者と車両Ｖの衝突時、脚払い部材６の突出部６ｅが歩行者の下脚部と最も早く衝突するため、歩行者の上半身がバンパレインフォースメント４と衝突する前に歩行者の下脚部を払って効果的に歩行者をボンネット２の上に案内することができる。しかも、歩行者をボンネット２の上に案内するために必要な衝突エネルギー以上の衝撃荷重は各ビード部３２の潰れ変形によって吸収されるため、歩行者へ加わる衝撃荷重を低くすることができる。
【００４９】
次に、前記前部車体構造の作用、効果について説明する。
この前部車体構造は、ボンネット２の下方において車両前後方向に延びた左右１対のフロントサイドフレーム３と、これら１対のフロントサイドフレーム３の前端部に取付けられ車幅方向に延びたバンパレインフォースメント４と、車体前端部分の外表面を形成するバンパフェイス５と、バンパレインフォースメント４の下側位置で且つ前端がバンパレインフォースメント４よりも前方に配置された車幅方向に延びる脚払い部材６と、この脚払い部材６を１対のフロントサイドフレーム３に支持する支持部材７を備えているため、車両Ｖと歩行者との衝突時に歩行者の車体下方への巻き込みを防止することができる。
【００５０】
支持部材７は脚払い部材６に入力した車両前後方向の衝撃荷重を吸収可能なビード部３２を備えているため、脚払い部材６は十分な衝撃吸収機能を備える必要がなく脚払い部材６を車体前後方向に短く形成することができ、車体重量を軽量化することができる。脚払い部材６を車体前後方向に短縮化したため、支持部材７のフロントサイドフレーム３に対する取付け自由度を増すことができる。また、脚払い部材６を軽量化できるため、支持部材７の剛性を低くすることができ、フロントサイドフレーム３の衝突時の変形モード制御を阻害することなくフロントサイドフレーム３に取付けることができる。
【００５１】
脚払い部材６は、上面部６ａと、下面部６ｂと、前面部６ｃ、後面部６ｄ，突出部６ｅ等から構成され、車幅方向に延びた閉断面構造とされているため、衝撃荷重を支持部材７へ伝達して支持部材７の変形を促進することができる。しかも、支持部材７の変形を促進させるため、衝撃吸収の調節を支持部材７の設定によって容易に行うことができる。それ故、脚払い部材６に入力した車両前後方向の衝撃荷重を支持部材７によって吸収しつつ脚払い部材６の前後長を短くでき、小型化することができる。
【００５２】
支持部材７は、支持部材７をフロントサイドフレーム３に取付けるための取付部７ａと、ビード部３２を備えた支持本体部７ｂと、この支持本体部７ｂへ衝撃荷重を伝達可能で且つ脚払い部材６を装着するための衝撃伝達部７ｃを備え、衝撃伝達部７ｃは支持本体部７ｂの下端部から車体前方に向けて延設されたため、脚払い部材６を車体前後方向に短くすることができ、車体重量を軽量化することができる。
【００５３】
左右１対のフロントサイドフレーム３は前端部分にバンパレインフォースメント４に入力した車両前後方向の衝撃荷重を変形によって吸収可能なクラッシュカン９を備え、取付部７ａはクラッシュカン９の下端面に取付けられると共にクラッシュカン９の変形を許容可能なビード部３１を備えているため、クラッシュカン９の各ビード部９ａの潰れ変形を阻害することなく脚払い部材６を車体前側で支持することができ、脚払い部材６を車体前後方向に短くすることができる。
【００５４】
次に、参考技術２に係る車両の前部車体構造について図９に基づいて説明する。尚、前記参考技術１の前部車体構造と異なる構成についてのみ説明し、前記参考技術と同一の部材に、同一符号を付して説明を省略する。
【００５５】
図９に示すように、鋼板製の脚払い部材６Ａは、車幅方向に延びた閉断面構造とされ、脚払い部材６Ａの車体前後方向の剛性は支持部材７の車体前後方向の剛性よりも高く設定されている。脚払い部材６Ａは、上面部６ａと、下面部６ｂと、前面部６ｃと、後面部６ｄと、前面部６ｃの下部に位置し前側に突出する突出部６ｅ等を備えている。脚払い部材６Ａは、左右の支持部材７に左右端部分がボルト１５によって取付けられている。
【００５６】
次に、参考技術２に係る前記前部車体構造の作用、効果について説明する。
この前部車体構造では、脚払い部材６Ａを支持部材７の車体前後方向の剛性よりも高い剛性を有する部材に構成したため、支持部材７のみによって衝突エネルギーの吸収を行うことができる。それ故、支持部材７の材質等による剛性とビード部３２の設定のみによって衝撃吸収の調節を容易に行うことができる。しかも、脚払い部材６Ａの高剛性化に伴って、脚払い部材６Ａの前後長を一層短くすることができ、車体の軽量化を図ることができる。
【実施例１】
【００５７】
次に、実施例１に係る車両の前部車体構造について図１０〜図１２に基づいて説明する。尚、前記参考技術１の前部車体構造と異なる構成についてのみ説明し、前記参考技術と同一の部材に、同一符号を付して説明を省略する。
【００５８】
左右１対のフロントサイドフレーム３の間には、ラジエータ８とラジエータ８の後側のファン１４がシュラウドアッパ１２とシュラウドロア１３に支持されている。車体前方に向けて前傾姿勢になるようにスラント配置されたラジエータ８は、バンパフェイス５の導入開口５ｂ，５ｃに対向する位置に配置されている。
【００５９】
鋼板製の支持部材７Ａは、支持部材７Ａをクラッシュカン９の下端面に取付けるための取付部７ａと、支持本体部７ｂと、この支持本体部７ｂへ衝撃荷重を伝達可能で且つ脚払い部材６を装着するための衝撃伝達部７ｃ等から一体的に構成されている。左右の支持部材７Ａは、同様の構成のため、右側の支持部材７Ａについて説明する。
【００６０】
支持本体部７ｂは、取付部７ａの車幅方向外側端部を直交方向に屈曲して形成され、車幅方向内側に凹入して上下方向に亙って延びる前後２列のビード部３２と、ビード部３２の後方に延設された板状の張出部３５等を備えている。
前側のビード部３２は、支持本体部７ｂの下部において前方に向かって湾曲し、支持本体部７ｂの前端部まで形成されている。後側のビード部３２は、支持本体部７ｂの下部において前方に向かって湾曲し、支持本体部７ｂの前部まで形成されている。前側のビード部３２と後側のビード部３２の上側部分は上下方向に略平行状に延設されている。
【００６１】
張出部３５は、後側のビード部３２の後方からフランジ部３ｂよりも後方に配置されたラジエータ８の上部側方位置まで延設され、フロントサイドフレーム３の下方にフロントサイドフレーム３と略平行状に形成されている。張出部３５の後端部は、上部から下部に向かって車体前側に向かって湾曲するように構成され、その前後幅は、上部に比べて下部が幅狭になるように形成されている。
【００６２】
張出部３５は、上端部分に支持部材７Ａをフロントサイドフレーム３の下端面に取付けるための取付部３６を備えている。それ故、左右１対の支持部材７Ａは、左右のクラッシュカン９及びフロントサイドフレーム３の下端面にボルト１６によって夫々固定されている。衝撃伝達部７ｃは、支持本体部７ｂの下端部分を車体前側に湾曲して形成されている。
【００６３】
左右１対の走行風案内部１８は、導入開口５ｂ，５ｃとラジエータ８の間に配置され、導入開口５ｂ，５ｃから導入された走行風をラジエータ８へ案内するように構成されている。走行風案内部１８は、合成樹脂板によって形成され、フロントサイドフレーム３よりも下方に配置されている。走行風案内部１８は、前側端部分をボルトによって張出部３５に締結され、張出部３５との締結部から後方に向かう程、車幅方向中央へ移行するように傾斜して形成されている。尚、左側の走行風案内部１８は、右側の走行風案内部１８と同様に構成されている。
【００６４】
次に、実施例１に係る前記前部車体構造の作用、効果について説明する。
この前部車体構造では、基本的に参考技術１と同様の効果を奏することができる。
また、走行風案内部１８の取付け部材を新設することなく左右１対の走行風案内部１８を各支持部材７Ａに夫々固定したため、導入開口５ｂ，５ｃから導入された走行風をラジエータ８へ効果的に案内することができ、ラジエータ８の冷却性能を高めることができる。しかも、ラジエータ８よりも車幅方向外側、所謂フロントフレーム３の下方を通過する走行風を車幅方向中央側に案内するため、一層ラジエータ８の冷却性能を高めることができる。
【実施例２】
【００６５】
次に、実施例２に係る車両の前部車体構造について図１３〜図１５に基づいて説明する。尚、前記参考技術１の前部車体構造と異なる構成についてのみ説明し、前記参考技術と同一の部材に、同一符号を付して説明を省略する。
【００６６】
鋼板製の支持部材７Ｂは、前側支持部７ｄと、後側支持部７ｅと、前側支持部７ｄと後側支持部７ｅの間に形成された中間部７ｆ等から一体的に構成されている。左右１対の支持部材７Ｂは、左右のクラッシュカン９の下端面にボルト１６によって夫々固定されている。左右の支持部材７Ｂは、同様の構成のため、右側の支持部材７Ｂについて説明する。
【００６７】
前側支持部７ｄは、支持部材７Ｂをクラッシュカン９に取付けるための取付部３７と、脚払い部材６をボルト締結するための装着部３８と、取付部３７と装着部３８の間を一体的に連結する前側本体部３９等を有している。
取付部３７は、クラッシュカン９の下端面の車幅方向外側位置にボルト１６によって固定されている。前側本体部３９は、取付部３７の車幅方向外側端部を下方に向かって屈曲して形成されている。装着部３８は、前側本体部３９の下端部の前端部分を車幅方向内側に屈曲させて形成している。
【００６８】
後側支持部７ｅは、支持部材７Ｂをクラッシュカン９に取付けるための取付部４０と、取付部４０の下側に位置する後側本体部４１等を有している。取付部４０は、クラッシュカン９の下端面の車幅方向内側位置にボルト１６によって固定されている。後側本体部４１は、取付部４０の車幅方向内側端部を下方へ屈曲させて形成している。
【００６９】
中間部７ｆは、フロントサイドフレーム３の直下位置に配置され、後方に向かう程、車幅方向中央側へ移行するように形成されている。中間部７ｆは、前側支持部７ｄとの境界部分に相当すると共に車幅方向内側に面し且つ上下方向に延びる谷折れ部４２（衝撃吸収部）と、後側支持部７ｅとの境界部分に相当すると共に車幅方向外側に面し且つ上下方向に延びる谷折れ部４３（衝撃吸収部）と、取付部３７と取付部４０の間において中間部７ｆの上端部に形成された上部開口部４４等から構成されている。
【００７０】
以上により、取付部３７と取付部４０の間の位置に上部開口部４４と、車幅方向に対して傾斜して形成された中間部７ｆが形成されたため、車両Ｖの衝突によってクラッシュカン９が圧縮変形して潰れるのに伴って、谷折れ部４２，４３を起点として中間部７ｆが潰れるため、クラッシュカン９の圧縮変形の阻害を防止することができる。それ故、支持部材７Ｂはクラッシュカン９の衝突エネルギーの吸収を阻害することなく、脚払い部材６をフロントサイドフレーム３に支持することができる。
【００７１】
また、歩行者と衝突した場合、脚払い部材６は衝撃吸収体１０の下方で歩行者の下脚部高さに相当する導入開口５ｃの後方付近に配置されているため、バンパフェイス５を介して突出部６ｅが歩行者の下脚部に衝突する。衝撃荷重は、装着部３８から前側支持部７ｄに入力する。このとき、谷折れ部４２を折れ変形の節として、前側支持部７ｄが車幅方向外側へ移動して衝突荷重を吸収している。前側支持部７ｄの変形によっても吸収されない衝撃荷重は、後側支持部７ｅが谷折れ部４３を折れ変形の節として車幅方向内側へ移動して衝撃荷重を吸収している。これにより、歩行者をボンネット２の上に案内するために必要な衝突エネルギー以上の衝撃荷重は谷折れ部４２と谷折れ部４３の座屈変形によって吸収されるため、歩行者へ加わる衝撃荷重を小さくすることができる。
【００７２】
しかも、中間部７ｆが後方に向かう程、車幅方向中央側へ移行するように傾斜して設置されたため、新たに走行風案内部を新設することなく導入開口５ｂ，５ｃから導入されたフロントフレーム３の下側を通過する走行風をラジエータ８へ案内することができ、一層ラジエータ８の冷却性能を高めることができる。
【実施例３】
【００７３】
次に、実施例３に係る車両の前部車体構造について図１６〜図１８に基づいて説明する。尚、前記実施例２の前部車体構造と異なる構成についてのみ説明し、前記実施例と同一の部材に、同一符号を付して説明を省略する。
【００７４】
鋼板製の支持部材７Ｃは、前側支持部７ｄと、後側支持部７ｅと、前側支持部７ｄと後側支持部７ｅの間に位置する中間部７ｆ等から一体的に構成されている。左右１対の支持部材７Ｃは、左右のクラッシュカン９の下端面にボルト１６によって夫々固定されている。
【００７５】
中間部７ｆは、クラッシュカン９の下端面の直下の位置に配置され、後方に向かう程、車幅方向中央側へ移行するように傾斜して設置されている。中間部７ｆは、谷折れ部４２と、谷折れ部４３と、上部開口部４４と、上部開口部４４の下方に形成された中央開口部４５等から構成されている。中央開口部４５の大きさは、歩行者との衝突時、歩行者をボンネット２の上に案内するために必要な衝突エネルギー以上の衝撃荷重を谷折れ部４２，４３と協働して吸収できるように設定されている。
【００７６】
以上により、支持部材７Ｃはクラッシュカン９による衝突エネルギーの吸収を阻害することなく、脚払い部材６をフロントサイドフレーム３に支持することができ、谷折れ部４２と谷折れ部４３の座屈変形によって衝撃荷重を吸収するため、歩行者へ加わる衝撃荷重を低くすることができる。しかも、中央開口部４５の形成によって支持部材７Ｃの軽量化を図ることができ、車体重量を軽減することができる。
【実施例４】
【００７７】
次に、実施例４に係る車両の前部車体構造について図１９，図２０に基づいて説明する。尚、前記参考技術１の前部車体構造と異なる構成についてのみ説明し、前記参考技術と同一の部材に、同一符号を付して説明を省略する。
【００７８】
車両Ｖの前部車体１は、ボンネット２と、左右１対のフロントサイドフレーム３と、バンパレインフォースメント４と、バンパフェイス５と、脚払い部材６Ｂ（車幅方向部材）と、脚払い部材６Ｂを左右１対のフロントサイドフレーム３に支持する支持部材７Ｄと、ラジエータ８と、圧縮されて高温となった吸気を冷却するためのインタークーラ１９（第２熱交換器）等を備えている。
【００７９】
鋼板製の脚払い部材６Ｂは、衝撃吸収体１０の下方で歩行者の下脚部高さに相当する導入開口５ｃの下部後方に配置されている。脚払い部材６Ｂの車体前後方向の剛性は支持部材７Ｄの車体前後方向の剛性よりも高く設定されている。脚払い部材６Ｂは、断面略ハット状に形成され、左右の支持部材７Ｄに左右端部分をボルト１５によって取付けられている。
【００８０】
鋼板製の支持部材７Ｄは、取付部７ａと、支持本体部７ｂと、衝撃伝達部７ｃ等から一体的に構成されている。左右１対の支持部材７Ｄは、左右のクラッシュカン９の下端面にボルト１６によって夫々固定されている。取付部７ａは、車体前後方向に直交し且つ前後２ヶ所の溝部９ａに対向して各溝部９ａと反対側に凹入して左右方向に亙って延びる前後２列のビード部３１等を備えている。支持部材７Ｄがクラッシュカン９の下端面に固着されたとき、取付部７ａは車体上下方向に対して直交する面と平行に配置され、各ビード部３１は車体前後方向に対して直交状に前後に配置されている。
【００８１】
支持本体部７ｂは、取付部７ａの車幅方向外側端部を直交方向に屈曲して形成され、車幅方向内側に凹入して上下方向に亙って延びる前後２列のビード部３２と、開口部４６（排出口）等を備えている。前側のビード部３２は、前側のビード部３１の車幅方向外側端部から連続して下方に向かって延びると共に支持本体部７ｂの下部において前方に向かって湾曲し、支持本体部７ｂの前端部まで形成されている。後側のビード部３２は、後側のビード部３１の車幅方向外側端部から連続して下方に延びると共に支持本体部７ｂの下部において前方に向かって湾曲している。略長方形形状の開口部４６は、前後ビード部３２の間において支持本体部７ｂを貫通するように形成されている。
【００８２】
インタークーラ１９は、脚払い部材６Ｂの右側端部近傍部に配置され、取付けブラケット（図示略）によって固定されている。インタークーラ１９の後方には、インタークーラ１９によって熱交換された走行風をホイールハウス２０に導くための合成樹脂製のダクト２１（案内流路）が配置されている。角筒状のダクト２１は、インタークーラ１９の背面と開口部４６を連結するように構成されている。
【００８３】
図２０に矢印で示すように、インタークーラ１９によって熱交換された走行風はダクト２１を通過してホイールハウス２０に誘導され、車両Ｖの外部へ放出される。それ故、ラジエータ８へ熱交換を行う前の走行風を供給することができ、且つラジエータ８へ昇温した走行風を案内することも防げるため、各熱交換器の冷却性能を高く維持することができる。尚、ダクト２１は、合成樹脂製であるため、支持部材７Ｄの潰れ変形に影響を与えないように構成されている。
【００８４】
以上により、基本的に参考技術１と同様の作用効果を奏することができる。
また、脚払い部材６Ｂを支持部材７Ｄの車体前後方向の剛性よりも高い剛性によって構成したため、衝撃吸収の調節を支持部材７Ｄのビード部３２等の設定のみによって容易に行うことができる。しかも、ラジエータ８の冷却性能とインタークーラ１９の冷却性能を高く維持することができる。
【実施例５】
【００８５】
次に、実施例５に係る車両の前部車体構造について図２１，図２２に基づいて説明する。尚、前記参考技術１の前部車体構造と異なる構成についてのみ説明し、前記参考技術と同一の部材に、同一符号を付して説明を省略する。
【００８６】
左右１対のフロントサイドフレーム３のフランジ部３ｂには、左右１対のクラッシュカン９Ａが夫々取付けられている。各クラッシュカン９Ａには、脚払い部材６を支持可能な支持部材７Ｅが一体的に形成されている。左右１対のクラッシュカン９Ａは、同様の構成のため、右側のクラッシュカン９Ａについて説明する。
【００８７】
クラッシュカン９Ａは、アッパパネル２３とロアパネル２４によって構成され、両パネル２３，２４によって車体前後方向に延びると共に正面視で見て十字状の閉断面部を形成している。アッパパネル２３は、車幅方向内側の鉛直面部２３ａと、鉛直面部２３ａの上側端部と鉛直面部２３ｂの下側端部を連結する水平面部２３ｅと、水平面部２３ｅの外側端部と水平面部２３ｆの内側端部を連結する鉛直面部２３ｂと、鉛直面部２３ｂの上側端部と鉛直面部２３ｃの上側端部を連結する水平面部２３ｆ、水平面部２３ｆの外側端部と水平面部２３ｇの内側端部を連結する鉛直面部２３ｃと、鉛直面部２３ｃの下側端部と鉛直面部２３ｄの上側端部を連結する水平面部２３ｇと、水平面部２３ｇの外側端部から下方に延びる鉛直面部２３ｄ等から形成されている。
【００８８】
水平面部２３ｇには、車体前後方向に直行し且つクラッシュカン９Ａ内部に凹入する前後２列のビード部２３ｈが形成されている。鉛直面部２３ｄには、各ビード部２３ｈと夫々連続すると共に車幅方向内側に凹入して上端から下端に亙って延びる前後２列のビード部２３ｉが形成されている。
【００８９】
ロアパネル２４は、車幅方向内側の鉛直面部２４ａと、鉛直面部２４ａ下側端部と鉛直面部２４ｂの上側端部を連結する水平面部２４ｅと、水平面部２４ｅの外側端部と水平面部２４ｆの内側端部を連結する鉛直面部２４ｂと、鉛直面部２４ｂの下側端部と鉛直面部２４ｃの下側端部を連結する水平面部２４ｆと、水平面部２４ｆの外側端部と水平面部２４ｇの内側端部を連結する鉛直面部２４ｃと、鉛直面部２４ｃの上側端部と鉛直面部２４ｄの下側端部を連結する水平面部２４ｇと、水平面部２４ｇの外側端部から上方に延びる鉛直面部２４ｄ等から形成されている。
【００９０】
支持部材７Ｅは、鉛直面部２３ｄの下端を下方に延設することによってクラッシュカン９Ａと一体的に形成されている。支持部材７Ｅは、支持本体部４７ａと、衝撃伝達部４７ｂとから構成されている。支持本体部４７ａには、車幅方向内側に凹入して上下方向に亙って延びる前後２列のビード部４８が形成されている。
【００９１】
前側のビード部４８は、前側のビード部２３ｉの下端と連結され下方に向かって延びると共に支持本体部４７ａの下部において前方に向かって湾曲し、支持本体部４７ａの前端部まで形成されている。後側のビード部４８は、後側のビード部２３ｉの下端と連結され下方に向かって延びると共に支持本体部４７ｂの下部において前方に向かって湾曲している。各々のビード部４８のビード深さとビード幅等は、歩行者との衝突時、歩行者をボンネット２の上に案内するために必要な衝突エネルギー以上の衝撃荷重を吸収できるように設定されている。
【００９２】
衝撃伝達部４７ｂは、支持本体部４７ａの下端部を車体前側に湾曲させて形成されている。衝撃伝達部４７ｂは、衝撃伝達部４７ｂの前端部分を車幅方向内側に屈曲して形成された脚払い部材６の装着部４９と、装着部４９を貫通可能に設けられた１対のボルト穴５０等から構成されている。装着部４９の前側表面に配置された脚払い部材６は、１対のボルト穴５０の後方からボルト（図示略）によって支持部材７Ｅへ固着されている。
【００９３】
以上により、基本的に参考技術１と同様の効果を奏することができる。
しかも、クラッシュカン９Ａの鉛直面部２３ｄを延長して脚払い部材６を支持する支持部材７Ｅを一体的に形成したため、支持部材７Ｅの取付部を省略することができ、車体重量の軽減、クラッシュカン９Ａの潰れ変形制御の容易化を図ることができる。
【実施例６】
【００９４】
次に、図２３に基づいて、脚払い部材６を支持する支持部材と一体形成されたクラッシュカン９Ａの変形例について説明する。尚、前記実施例５のクラッシュカン９Ａと異なる構成についてのみ説明し、前記実施例と同一の部材に、同一符号を付して説明を省略する。また、左右１対のクラッシュカンは、同様の構成のため、右側のクラッシュカンについて説明する。
【００９５】
図２３に示すように、クラッシュカン９Ｂは、アウタパネル２５とインナパネル２６によって構成され、両パネル２５，２６によって車体前後方向に延びると共に正面視で見て十字状の閉断面部を形成している。
【００９６】
アウタパネル２５は、水平面部２５ａと、鉛直面部２５ｅと、水平面部２５ｂと、鉛直面部２５ｆと、水平面部２５ｃと、鉛直面部２５ｇと、水平面部２５ｄ等から形成されている。インナパネル２６は、水平面部２６ａと、鉛直面部２６ｅと、水平面部２６ｂと、鉛直面部２６ｆと、水平面部２６ｃと、鉛直面部２６ｇと、水平面部２６ｄ等から形成されている。クラッシュカン７Ｆの前後方向に延びた閉断面部は、水平面部２５ａと水平面部２６ａを溶接し、水平面部２５ｄと水平面部２６ｄを溶接することで形成している。
【００９７】
支持部材７Ｆは、アウタパネル２５と一体的に形成され、水平面部２５ｄの車幅方向内側端部を屈曲し、下方に延びるように構成されている。支持部材７Ｆは、支持本体部４７ａと、衝撃伝達部４７ｂとから構成されている。支持本体部４７ａには、車幅方向内側に凹入して上下方向に亙って延びる前後２列のビード部４８が形成されている。
尚、クラッシュカン９Ｂの各面部２５ａ〜２５ｇ，２６ａ〜２６ｇに、必要に応じて車体前後方向に直交するビード部を形成することも可能である。
【００９８】
以上により、クラッシュカン９Ｂの水平面部２５ｄを屈曲して脚払い部材６を支持する支持部材７Ｆを一体的に形成したため、支持部材７Ｆの取付部を省略することができ、車体重量の軽減、クラッシュカン９Ａの潰れ変形制御の容易化を図ることができる。しかも、支持部材７Ｆ及び脚払い部材６の装着部を車幅方向内側に配置することができ、車両デザインの自由度を拡大できる。
【００９９】
次に、前記実施例を部分的に変更した変形例について説明する。
１〕前記実施例においては、支持部材を鋼板によって形成した例を説明したが、少なくとも、支持部材によって、歩行者との衝突時、歩行者をボンネットの上に案内するために必要な衝突エネルギー以上の衝撃荷重を吸収できれば良く、樹脂等他の材質を用いることも可能であり、同様の効果を奏することができる。
【０１００】
２〕前記実施例においては、衝撃伝達部が車体前後方向の衝撃荷重を減衰させることなく支持本体部に伝達する例を説明したが、少なくとも、支持部材によって衝撃荷重を吸収できれば良く、衝撃伝達部に車体前後方向の衝撃荷重を吸収可能なビード部等の衝撃吸収部を設けることも可能である。
【０１０１】
３〕前記実施例においては、衝撃吸収部としてのビード部と脆弱部としてのビード部が連続して形成された例を説明したが、夫々のビード部を独立して設けることも可能である。また、衝撃吸収部と脆弱部を支持部材に形成した開口によって構成することも可能である。
【０１０２】
４〕前記実施例においては、走行風案内部を支持部材の張出部に固定した例を説明したが、張出部自体を後方に向かう程、車幅方向中央に近接するように構成して、張出部を走行風案内部と兼ねることも可能である。
【０１０３】
５〕前記実施例においては、第２熱交換器としてインタークーラを脚払い部材の一端側に配置する例を説明したが、少なくとも、走行風と熱交換を行うものであれば良く、オイルクーラ等を配置することも可能である。また、インタークーラやオイルクーラ等を脚払い部材の両端に配置することも可能である。
【０１０４】
６〕その他、当業者であれば、本発明の趣旨を逸脱することなく、前記実施例に種々の変更を付加した形態で実施可能であり、本発明はそのような変更形態も包含するものである。
【産業上の利用可能性】
【０１０５】
本発明は、バンパレインフォースメントの下方且つ前方位置にフロントサイドフレームに支持された車幅方向部材を備えた車両において、フロントサイドフレームの潰れ変形と車幅方向部材の支持剛性の確保を両立することができる。
【符号の説明】
【０１０６】
Ｖ                    車両
１                    前部車体
２                    ボンネット
３                    フロントサイドフレーム
４                    バンパレインフォースメント
５                    バンパフェイス
５ｂ，５ｃ            導入開口  
６，６Ａ，６Ｂ        脚払い部材
７，７Ａ〜７Ｆ        支持部材
７ａ                  取付部
７ｂ，４７ａ，５２ａ  支持本体部
７ｃ，４７ｂ，５２ｂ  衝撃伝達部
８                    ラジエータ
９，９Ａ〜９Ｂ        クラッシュカン
１８                  走行風案内部
１９                  インタークーラ
２１                  ダクト
３２，４８            ビード部
３３，３８，４９      装着部
４２，４３            谷折れ部
４６                  開口部
【図１】
0005381539.tif 000002
【図２】
0005381539.tif 000003
【図３】
0005381539.tif 000004
【図４】
0005381539.tif 000005
【図５】
0005381539.tif 000006
【図６】
0005381539.tif 000007
【図７】
0005381539.tif 000008
【図８】
0005381539.tif 000009
【図９】
0005381539.tif 000010
【図１０】
0005381539.tif 000011
【図１１】
0005381539.tif 000012
【図１２】
0005381539.tif 000013
【図１３】
0005381539.tif 000014
【図１４】
0005381539.tif 000015
【図１５】
0005381539.tif 000016
【図１６】
0005381539.tif 000017
【図１７】
0005381539.tif 000018
【図１８】
0005381539.tif 000019
【図１９】
0005381539.tif 000020
【図２０】
0005381539.tif 000021
【図２１】
0005381539.tif 000022
【図２２】
0005381539.tif 000023
【図２３】
0005381539.tif 000024